(57)【要約】【課題】冷却性能の向上を図る。【解決手段】ウォータージャケット用スペーサ１０は、軸線を上下方向に向けて並列配置された複数のシリンダボア５２を包囲するように形成したウォータージャケット５０内に収容され、ウォータージャケット５０内においてシリンダボア５２のボア壁５４に接触しながら周方向に流動する冷却水Ｆの流量を調整するためのものである。スペーサ１０の上端面には、冷却水Ｆの流動方向に間隔を空けて配置された複数の突起１３（第１板状部１４，第２板状部１５）が形成されている。【選択図】図１
2014206052.tif 000002
【特許請求の範囲】
【請求項１】
軸線を上下方向に向けて並列配置された複数のシリンダボアを包囲するように形成したウォータージャケット内に収容され、前記ウォータージャケット内において前記シリンダボアのボア壁に接触しながら周方向に流動する冷却水の流量を調整するためのものであって、
上端面に形成され、冷却水の流動方向に間隔を空けて配置された複数の突起を備えていることを特徴とするウォータージャケット用スペーサ。
【請求項２】
前記突起が、冷却水の周方向への流動方向と交差する向きの板状をなしていることを特徴とする請求項１記載のウォータージャケット用スペーサ。
【請求項３】
前記複数の突起が、周方向に対して斜めをなし冷却水を前記ボア壁に接近させる方向へ誘導する複数の第１板状部と、周方向に対して斜めをなし冷却水を前記ボア壁から遠ざかる方向へ誘導する複数の第２板状部とを、周方向に交互に並べて構成されていることを特徴とする請求項１又は請求項２記載のウォータージャケット用スペーサ。
【請求項４】
前記複数の突起が、冷却水を前記ボア壁に接近させる方向へ誘導するように周方向に対して斜めをなし、周方向に並ぶように配置されていることを特徴とする請求項１又は請求項２記載のウォータージャケット用スペーサ。
【請求項５】
前記突起を貫通するように形成された貫通孔を有していることを特徴とする請求項１ないし請求項４のいずれか１項に記載のウォータージャケット用スペーサ。
【発明の詳細な説明】
【技術分野】
【０００１】
本発明は、ウォータージャケット用スペーサに関するものである。
【背景技術】
【０００２】
特許文献１には、水冷式エンジンのシリンダブロックに形成したウォータージャケット内に、冷却水の流量を調整するためのスペーサを収容する技術が記載されている。ウォータージャケットは、軸線を上下に向けて並列配置された複数のシリンダボアを包囲するように形成されており、ウォータージャケット内に流入した冷却水は、ボア壁の外周面に接触することによってシリンダボア内の熱を奪っていきながら周方向に流れ、ウォータージャケット外へ流出する。
【先行技術文献】
【特許文献】
【０００３】
【特許文献１】特開２００８−１２８１３３号公報
【発明の概要】
【発明が解決しようとする課題】
【０００４】
シリンダボアは上端部が最も高温になるため、スペーサは、ウォータージャケット内における下端側領域に配置される。この配置により、スペーサよりも上方における冷却水の流量が、スペーサの高さ範囲内における冷却水の流量よりも多くなる。ところが、ウォータージャケット内におけるスペーサよりも上方の領域では、障害物が存在しないので、冷却水が層流状に流れる。そのため、ウォータージャケット内の冷却水の温度分布は、全周に亘り、ボア壁に近いほど高温が高く、ボア壁から遠いほど温度が低いという温度差の大きい状態となる。このような温度分布では、ボア壁から遠い領域を流れる冷却水は、シリンダボアの熱を十分に奪うことなくウォータージャケット外へ流出することになる。したがって、従来のスペーサは、冷却性能が低い。
本発明は上記のような事情に基づいて完成されたものであって、冷却性能の向上を図ることを目的とする。
【課題を解決するための手段】
【０００５】
本発明のウォータージャケット用スペーサは、
軸線を上下方向に向けて並列配置された複数のシリンダボアを包囲するように形成したウォータージャケット内に収容され、前記ウォータージャケット内において前記シリンダボアのボア壁に接触しながら周方向に流動する冷却水の流量を調整するためのものであって、
上端面に形成され、冷却水の流動方向に間隔を空けて配置された複数の突起を備えているところに特徴を有する。
【発明の効果】
【０００６】
この構成によれば、ウォータージャケット内を流動する冷却水は、突起に衝突することにより、ボア壁に対して接近又は離間するように流動方向をランダムに変えるので、乱流状態のまま全体として周方向に移動する。冷却水が乱流状に移動する過程では、比較的低温の冷却水がボア壁に接近してシリンダボアから熱を奪うとともに、シリンダボアの熱を奪って高温になった冷却水がボア壁から遠ざかるので、ボア壁に近い領域とボア壁から遠い領域との間での温度差が小さくなる。したがって、本発明によれば、冷却水の全体を吸熱手段として有効活用できるので、冷却性能に優れている。
【図面の簡単な説明】
【０００７】
【図１】実施例１においてウォータージャケットにスペーサを収容した状態をあらわす断面図
【図２】スペーサの平面図
【図３】図２のＸａ−Ｘａ線断面図
【図４】実施例２のスペーサの平面図
【図５】図４のＸｂ−Ｘｂ線断面図
【図６】実施例２のスペーサの平面図
【図７】図６のＸｃ−Ｘｃ線断面図
【図８】実施例２のスペーサの平面図
【図９】図８のＸｄ−Ｘｄ線断面図
【発明を実施するための形態】
【０００８】
（１）本発明のウォータージャケット用スペーサは、
前記突起が、冷却水の周方向への流動方向と交差する向きの板状をなしていてもよい。
この構成によれば、突起に衝突したときに冷却水が受ける抵抗が大きいので、冷却水を、より効果的に乱流状にすることができる。
【０００９】
（２）本発明のウォータージャケット用スペーサは、
前記複数の突起が、周方向に対して斜めをなし冷却水を前記ボア壁に接近させる方向へ誘導する複数の第１板状部と、周方向に対して斜めをなし冷却水を前記ボア壁から遠ざかる方向へ誘導する複数の第２板状部とを、周方向に交互に並べて構成されていてもよい。
この構成によれば、比較的低温の冷却水をボア壁に接近させてシリンダボアから熱を奪う流れと、シリンダボアの熱を奪って高温になった冷却水をボア壁から遠ざける流れを効果的に生成できるので、冷却性能に優れている。
【００１０】
（３）本発明のウォータージャケット用スペーサは、
前記複数の突起が、冷却水を前記ボア壁に接近させる方向へ誘導するように周方向に対して斜めをなし、周方向に並ぶように配置されていてもよい。
この構成によれば、周方向に流動する冷却水は、常に、突起によってボア壁に接近する方向へ誘導される。誘導されてボア壁に接近した冷却水は、その後、ボア壁から遠ざかるのであるが、このとき、ボア壁に接近する方向へ誘導された冷却水と衝突して乱流となる。本発明によれば、冷却水を、より効果的に乱流状にすることができる。
【００１１】
（４）本発明のウォータージャケット用スペーサは、
前記突起を貫通するように形成された貫通孔を有していてもよい。
この構成によれば、突起に向かった冷却水の一部は貫通孔を通過し、突起に向かった冷却水のうち貫通孔を通過しなかったものは、突起に衝突して流れの向きを変える。突起によって冷却水を複数の流れに分流するので、冷却水を、より効果的に乱流状にすることができる。
【００１２】
＜実施例１＞
以下、本発明を具体化した実施例１を図１〜図３を参照して説明する。
【００１３】
＜ウォータージャケット５０＞
本実施例１のウォータージャケット用スペーサ１０（以下、単に「スペーサ１０」という）の取付け対象は、自動車の内燃機関である４気筒エンジンである。スペーサ１０が取り付けられるシリンダブロック５１内には、軸線を上下方向に向けた４つ（便宜上、図５に示すのは１つだけである）のシリンダボア５２が一列に水平に並んで形成されている。図１に示すように、シリンダボア５２内にはピストン５３が昇降可能に収容されている。エンジン駆動中は、ピストン５３が上死点に達すると燃料が燃焼するため、シリンダボア５２内の温度は上端部で最も高くなる。
【００１４】
この高温になるシリンダボア５２を冷却する手段として、シリンダブロック５１には、４つのシリンダボア５２を一括して包囲するとともに、４つのシリンダボア５２のボア壁５４に沿った形状のウォータージャケット５０が形成されている。図２に示すように、ウォータージャケット５０は、複数の円弧状溝部５５を連ねて構成され、全周に亘って連なった形態である。シリンダブロック５１は、シリンダボア５２に臨むボア壁５４と、シリンダブロック５１の外面を構成する外壁部５６とを備える。このボア壁５４と外壁部５６との間の空間がウォータージャケット５０となっている。
【００１５】
外壁部５６のうち最も端（図２における左端）に位置する円弧状溝部５５と対応する領域には、冷却水Ｆ（図１を参照）をウォータージャケット５０に流入させるための流入口５７と、冷却水Ｆをウォータージャケット５０外へ流出させるための流出口５８とが形成されている。図２に示すように、シリンダボア５２の軸線と平行な平面視において、流入口５７は、流出口５８よりも反時計回り方向（図２における右方）にずれた位置に配置されている。また、シリンダボア５２の軸線と直角な側面視において、流入口５７はウォータージャケット５０の下端部と対応する位置に配置され、流出口５８は、ウォータージャケット５０の上端部と対応する位置に配置されている。
【００１６】
＜スペーサ１０の概要＞
ウォータージャケット５０内には、ウォータージャケット５０内における冷却水Ｆの流量（体積）を少なくするめためのスペーサ１０（請求項に記載のウォータージャケット用スペーサ１０）が収容されている。スペーサ１０の材料としては、中実の材料（合成樹脂等）や、内部に気泡を有する多孔質材料等を用いることができる。多孔質材料としては、発泡プラスチック、発泡セラミックス、発泡ゴム、発泡金属等を用いることができる。
【００１７】
図２に示すように、スペーサ１０の平面視形状は、ウォータージャケット５０と同様、複数の円弧状壁部をシリンダボア５２（ボア壁５４及び外壁部５６）に沿うように全周に亘って連ねた形状の壁状本体部１１を有する。壁状本体部１１の上端部には、径方向（シリンダボア５２の軸線と直角であり、円弧状壁部の中心を起点とする放射方向）の幅寸法を拡大した水平板状の支持部１２が、全周に亘って連続して形成されている。
【００１８】
また、図１に示すように、スペーサ１０の高さは、ウォータージャケット５０の全高寸法よりも小さく、スペーサ１０は、ウォータージャケット５０の底面に当接した状態で配置される。ウォータージャケット５０のうちスペーサ１０の外面と外壁部５６の内面との間の領域（支持部１２よりも下方の領域）は、スペーサ１０によって溝幅が狭められた下部流動空間５９となっている。また、ウォータージャケット５０のうちスペーサ１０（支持部１２）よりも上方の領域は、上部流動空間６０となっている。上部流動空間６０は、下部流動空間５９に比べて溝幅が広く、容積が大きい。上記した流入口５７は、下部流動空間５９においてスペーサ１０の外周面と対向するように開口し、流出口５８は、上部流動空間６０においてボア壁５４の外面と対向するように開口する。
【００１９】
エンジン駆動中は、図２に矢線Ａで示すように流入口５７からウォータージャケット５０内に流入した冷却水Ｆが、図２に矢線Ｂで示すように平面視において反時計回り方向に流動し、ウォータージャケット５０内をほぼ一周した後、図２に矢線Ｃで示すように、流出口５８からウォータージャケット５０外へ流出するようになっている。尚、以下の説明では、冷却水Ｆの流動方向に関して、平面視における反時計回り方向を下流方向又は下流側と定義し、平面視における時計回り方向を上流方向又は上流側と定義する。
【００２０】
冷却水Ｆは、ウォータージャケット５０内を流動する間に、ボア壁５４に接触しながらシリンダボア５２内の熱を奪って徐々に温度上昇していく。このとき、冷却水Ｆが層流状態で周方向に流動した場合、ボア壁５４に沿うように流れる冷却水Ｆが速やかに温度上昇するのに対し、外壁部５６に沿うように流れる冷却水Ｆの温度上昇は、ボア壁５４に沿って流れる冷却水Ｆに比べて緩やかとなる。つまり、ウォータージャケット５０内の冷却水Ｆの温度分布は、全周に亘り、ボア壁５４に近いほど高温が高く、ボア壁５４から遠いほど温度が低いという温度差の大きい状態となる。このような温度分布では、ボア壁５４から遠い領域を流れる冷却水Ｆは、シリンダボア５２の熱を十分に奪うことなく流出口５８からウォータージャケット５０外へ流出してしまうことになる。
【００２１】
＜冷却性能向上の手段＞
本実施例のスペーサ１０には、冷却水Ｆの冷却性能を向上させる手段として、支持部１２の上面から上方（上部流動空間６０）へ突出する複数の突起１３が設けられている。複数の突起１３は、方形平板状をなす複数の第１板状部１４と、方形平板状であって第１板状部１４と同数の第２板状部１５とで構成されている。複数の第１板状部１４と複数の第２板状部１５は、周方向（ウォータージャケット５０内における冷却水Ｆの流動方向）に所定のピッチで交互に配置されいている。これらの板状部１４，１５は、いずれも、板面を冷却水Ｆの流動方向（周方向）と交差するように向けている。
【００２２】
第１板状部１４は、冷却水Ｆをボア壁５４に接近させる方向へ誘導する向きとなるように、周方向に対して斜めに配置されている。第２板状部１５は、第１板状部１４とは逆に、冷却水Ｆをボア壁５４から外壁部５６側へ遠ざかる方向へ誘導する向きとなるように、周方向に対して斜めに配置されている。さらに、各板状部には、夫々、その板面と直角に貫通した形態であって、開口形状が円形をなす貫通孔１６が形成されている。
【００２３】
上部流動空間６０内を流動する冷却水Ｆの大部分は、第１板状部１４の上流側の板面に衝突することにより、ボア壁５４に接近するように流れの向きを変え、ボア壁５４に接触することによってシリンダボア５２の熱を奪う。このボア壁５４に接触した冷却水Ｆの大部分は、第１板状部１４とボア壁５４の狭い隙間を通過しながらボア壁５４から更に熱を奪う。第１板状部１４とボア壁５４の隙間を通過した冷却水Ｆの大部分は、第２板状部１５の上流側の板面に衝突することにより、ボア壁５４から遠ざかる方向へ流れの向きを変える。また、第１板状部１４とボア壁５４の隙間を通過した冷却水Ｆの一部は、第２板状部１５とボア壁５４の狭い隙間を通過しながらボア壁５４から更に熱を奪う。
【００２４】
第２板状部１５に衝突することによってボア壁５４から遠ざかる方向へ流れの向きを変えた冷却水Ｆは、第１板状部１４の下流側の板面に沿ってボア壁５４に接近するように流れる冷却水Ｆと合流し、双方の冷却水Ｆが乱流を生成しながら熱交換を行う。熱交換した冷却水Ｆの大部分は、第２板状部１５と外壁部５６の狭い隙間を通過した後、第２板状部１５とボア壁５４の隙間を通過した高温の冷却水Ｆと合流し、乱流を生成しながら熱交換する。この熱交換した冷却水Ｆの大部分は、上記と同様に、第１板状部１４の上流側の板面に衝突してボア壁５４に接近するように流れの向きを変え、ボア壁５４から熱を奪う。
【００２５】
また、第１板状部１４に向かって流れる冷却水Ｆの一部は、第１板状部１４に衝突する冷却水Ｆから分流して、第１板状部１４の貫通孔１６を通過する。貫通孔１６を通過した冷却水Ｆは、第１板状部１４と外壁部５６との隙間を通過した冷却水Ｆと合流して、乱流を生成する。同様に、第２板状部１５に向かって流れる冷却水Ｆの一部は、第２板状部１５に衝突する冷却水Ｆから分流して、第２板状部１５の貫通孔１６を通過する。貫通孔１６を通過した冷却水Ｆは、第２板状部１５と外壁部５６の隙間を通過した冷却水Ｆと合流して、乱流を生成する。
【００２６】
上述したように、冷却水Ｆがウォータージャケット５０内を周方向へ移動する過程では、第１板状部１４や第２板状部１５に衝突した冷却水Ｆが流れの向きを変える現象、流れの向きが異なる冷却水Ｆ同士が合流する現象、狭い隙間を通過する際に冷却水Ｆの流速や流れの向きが変化する現象、貫通孔１６を通過する際に冷却水Ｆの流速や流れの向きが変化する現象等を伴う。そして、これらの現象により、冷却水Ｆが、ボア壁５４に対して接近又は離間するように流動方向をランダムに変えて乱流を生成しながら周方向に移動していく。
【００２７】
冷却水Ｆが乱流状に移動する過程では、比較的低温の冷却水Ｆがボア壁５４に接近してシリンダボア５２から熱を奪う現象と、シリンダボア５２の熱を奪って高温になった冷却水Ｆがボア壁５４から遠ざかる現象が、ランダム且つ頻繁に生じる。したがって、ウォータージャケット５０内においては、ボア壁５４に近い領域とボア壁５４から遠い領域との間での温度差が拡大することはない。したがって、本実施例によれば、冷却水Ｆの全体を吸熱手段として有効活用できるので、冷却性能に優れている。
【００２８】
また、第１板状部１４と第２板状部１５は、冷却水Ｆの周方向への流動方向と交差する向きの板状をなしている。この構成によれば、これらの板状部１４，１５に衝突したときに冷却水Ｆが受ける抵抗が大きくなるので、冷却水Ｆを、より効果的に乱流状にすることができる。
【００２９】
また、周方向に対する傾き方が異なる２種類の板状部１４，１５を、周方向に交互に配置した。この構成によれば、比較的低温の冷却水Ｆをボア壁５４に接近させてシリンダボア５２から熱を奪う流れと、シリンダボア５２の熱を奪って高温になった冷却水Ｆをボア壁５４から遠ざける流れを効果的に生成できるので、冷却性能に優れている。
【００３０】
また、板状部１４，１５に貫通孔１６を形成したことより、板状部１４，１５に向かった冷却水Ｆの一部が貫通孔１６を通過し、板状部１４，１５に向かった冷却水Ｆのうち貫通孔１６を通過しなかったものは、板状部１４，１５に衝突して流れの向きを変えるようにした。この構成によれば、板状部によって冷却水Ｆを複数の流れに分流させることができるので、冷却水Ｆを、より効果的に乱流状にすることができる。
【００３１】
＜実施例２＞
以下、本発明を具体化した実施例２を図４〜図５を参照して説明する。本実施例２のスペーサ２（請求項に記載のウォータージャケット用スペーサ）は、実施例１のスペーサ１０の第１板状部１４及び第２板状部１５と同じ形態で同じ配置とされた２種類の第１板状部２４及び第２板状部２５を有している。この第１板状部２４と第２板状部２５には、実施例１の板状部１４，１５に形成されていた貫通孔１６は、形成されていない。それ以外の構成は、実施例１のスペーサ１０と同じである。また、貫通孔１６に起因する作用及び効果を除き、本実施例２のスペーサ２０の作用及び効果は、実施例１のスペーサ１０と同様である。
【００３２】
＜実施例３＞
以下、本発明を具体化した実施例３を図６〜図７を参照して説明する。本実施例３のスペーサ３０（請求項に記載のウォータージャケット用スペーサ）は、実施例１のスペーサ１０と同様、壁状本体部１１の上端部に板状の支持部１２を形成したものである。本実施例３のスペーサ３０の支持部１２の上面に形成された複数の突起３３は、実施例１の板状部１４，１５と同様、方形の板状をなすが、周方向に対する向きが、実施例１の板状部１４，１５と異なっている。即ち、周方向に並ぶ複数の突起３３の板面は、全て、冷却水Ｆの周方向への流動方向Ａに対して斜めに交差する向きとなっている。さらに、全ての突起３３の板面は、冷却水Ｆをボア壁５４に接近させる方向へ誘導するような向きとなっている。また、全ての突起３３には、実施例１と同様の円形に開口する貫通孔１６が形成されている。
【００３３】
ウォータージャケット５０内を流動する冷却水Ｆの大部分は、突起３３の上流側の板面に衝突することにより、ボア壁５４に接近するように流れの向きを変え、ボア壁５４に接触することによってシリンダボア５２の熱を奪う。このボア壁５４に接触した冷却水Ｆの一部は、突起３３とボア壁５４の狭い隙間を通過しながらボア壁５４から更に熱を奪う。突起３３とボア壁５４の隙間に進入しなかった冷却水Ｆは、ボア壁５４から遠ざかる方向へ流れながら、突起３３に衝突するとともに、この突起３３によってボア壁５４側へ誘導される冷却水Ｆと合流し、乱流を生成して、熱交換を行う。
【００３４】
また、突起３３に衝突しなかった冷却水Ｆの大部分は、突起３３と外壁部５６との狭い隙間を通過した後、突起３３の上流側の板面に衝突して、ボア壁５４に接近するように流れの向きを変える。このボア壁５４に向かう冷却水Ｆは、突起３３とボア壁５４の隙間を通過した冷却水Ｆと合流し、乱流を生成しながら熱交換を行う。また、突起３３と外壁部５６の隙間を通過した冷却水Ｆの一部は、それよりも下流側の突起３３と外壁部５６の隙間を通過し、低温のままで下流側へ移動した後、高温の冷却水Ｆと合流して熱交換する。
【００３５】
冷却水Ｆがウォータージャケット５０内を周方向へ移動する過程では、突起３３に衝突した冷却水Ｆが流れの向きを変える現象、流れの向きが異なる冷却水Ｆ同士が合流する現象、狭い隙間を通過する際に冷却水Ｆの流速や流れの向きが変化する現象、貫通孔１６を通過する際に冷却水Ｆの流速や流れの向きが変化する現象等を伴う。そして、これらの現象により、冷却水Ｆが、ボア壁５４に対して接近又は離間するように流動方向をランダムに変えて乱流を生成しながら周方向に移動していく。これにより、冷却水Ｆの全体が吸熱手段として有効活用されるので、冷却性能に優れている。
【００３６】
特に、本実施例３のスペーサ３０は、周方向に並ぶ全ての突起３３が、冷却水Ｆをボア壁５４に接近させる方向へ誘導するように周方向に対して斜めをなしているので、周方向に流動する冷却水Ｆが、常に、突起３３によってボア壁５４に接近する方向へ誘導される。そして、誘導されてボア壁５４に接近した冷却水Ｆは、その後、ボア壁５４から遠ざかるのであるが、このとき、ボア壁５４に接近する方向へ誘導された冷却水Ｆと衝突して乱流となる。したがって、冷却水Ｆを、より効果的に乱流状にすることができる。
【００３７】
＜実施例４＞
以下、本発明を具体化した実施例４を図８〜図９を参照して説明する。本実施例４のスペーサ４０（請求項に記載のウォータージャケット用スペーサ４０）は、実施例１のスペーサ１０と同様、壁状本体部１１の上端部に板状の支持部１２を形成したものである。本実施例４のスペーサ４０の支持部１２の上面に形成された複数の突起４３は、実施例１の板状部１４，１５と同様、方形の板状をなすが、周方向に対する向きが、実施例１の板状部１４，１５と異なっている。即ち、周方向に並ぶ複数の突起４３の板面は、全て、冷却水Ｆの周方向への流動方向に対してほぼ直角となる向きに設定されている。また、全ての突起４３には、実施例１と同様の円形に開口する貫通孔１６が形成されている。
【００３８】
ウォータージャケット５０内を流動する冷却水Ｆの大部分は、突起４３の上流側の板面に衝突することにより、ボア壁５４に接近する方向と、ボア壁５４から遠ざかる方向（外壁部５６に接近する方向）とに分流する。ボア壁５４に接近した冷却水Ｆは、ボア壁５４に接触することによってシリンダボア５２の熱を奪う。このボア壁５４に接触した冷却水Ｆの一部は、突起４３とボア壁５４の狭い隙間を通過しながらボア壁５４から更に熱を奪う。突起４３とボア壁５４の隙間に進入しなかった冷却水Ｆは、突起４３に衝突することによってボア壁５４から遠ざかる方向へ流れ、その一部が突起４３と外壁部５６の狭い隙間を通過する。
【００３９】
突起４３とボア壁５４の隙間を通過した冷却水Ｆは、それよりも下流側の突起４３に衝突し、上記と同様に、ボア壁５４に接近する方向と、ボア壁５４から遠ざかる方向とに分流する。また、突起４３と外壁部５６の隙間を通過した冷却水Ｆも、下流側の突起４３に衝突して、ボア壁５４に接近する方向と、ボア壁５４から遠ざかる方向とに分流する。ボア壁５４に接近した冷却水Ｆは、ボア壁５４から熱を奪い、ボア壁５４から遠ざかった冷却水Ｆは、突起４３と外壁部５６との隙間を通過する。
【００４０】
また、突起４３に衝突しなかった冷却水Ｆは、貫通孔１６を通過し、その後、下流側の突起４３に衝突して、ボア壁５４に接近する方向と、ボア壁５４から遠ざかる方向とに分流する。突起４３への衝突によってボア壁５４に接近する方向に誘導された冷却水Ｆと、突起４３への衝突によってボア壁５４から遠ざかる方向に誘導された冷却水Ｆと、貫通孔１６を通過した冷却水Ｆは、上流側の突起４３と下流側の突起４３との間において、合流して乱流を生成しながら熱交換を行う。
【００４１】
このように、冷却水Ｆがウォータージャケット５０内を周方向へ移動する過程では、突起４３に衝突した冷却水Ｆが流れの向きを変える現象、流れの向きが異なる冷却水Ｆ同士が合流する現象、狭い隙間を通過する際に冷却水Ｆの流速や流れの向きが変化する現象、貫通孔１６を通過する際に冷却水Ｆの流速や流れの向きが変化する現象等を伴う。そして、これらの現象により、冷却水Ｆが、ボア壁５４に対して接近又は離間するように流動方向をランダムに変えて乱流を生成しながら周方向に移動していく。これにより、冷却水Ｆの全体が吸熱手段として有効活用されるので、冷却性能に優れている。
【００４２】
＜他の実施例＞
本発明は上記記述及び図面によって説明した実施例に限定されるものではなく、例えば次のような実施例も本発明の技術的範囲に含まれる。
（１）上記実施例１〜４では、突起を平板状としたが、突起は、湾曲した板状の形態、屈曲した板状の形態、円柱状の形態等、種々の形態のものを用いることができる。
（２）上記実施例１〜４では、形状と寸法が共通である同一種類の突起のみを設けたが、形状又は寸法が異なる複数種類の突起を混在させてもよい。
（３）上記実施例１，３，４では、１つの突起に形成する貫通孔の数を１つとしたが、１つの突起に複数の貫通孔を形成してもよい。
（４）上記実施例１，３，４では、全ての突起に貫通孔を形成したが、貫通孔が形成された突起と、貫通孔が形成されていない突起を混在させてもよい。
（５）上記実施例１，３，４では、貫通孔の開口形状を円形としたが、貫通孔の開口形状は、非円形であってもよい。
（６）上記実施例３，４において、貫通孔を形成しない形態としてもよい。
【符号の説明】
【００４３】
１０…スペーサ（ウォータージャケット用スペーサ）
１３…突起
１４…第１板状部（突起）
１５…第２板状部（突起）
１６…貫通孔
２０，３０，４０…スペーサ（ウォータージャケット用スペーサ）
２４…第１板状部（突起）
２５…第２板状部（突起）
３３，４３…突起
５０…ウォータージャケット
５２…シリンダボア
５４…ボア壁
Ｆ…冷却水
【図１】
2014206052.tif 000003
【図２】
2014206052.tif 000004
【図３】
2014206052.tif 000005
【図４】
2014206052.tif 000006
【図５】
2014206052.tif 000007
【図６】
2014206052.tif 000008
【図７】
2014206052.tif 000009
【図８】
2014206052.tif 000010
【図９】
2014206052.tif 000011